(57)【要約】【課題】日常的に着用することによって、特にその使用を意識することなく着用した下着の持つ緊締作用により大胸筋位置を圧迫することにより大胸筋を強化し、バストアップ効果を発揮することの出来るトップ下着を得る。【解決手段】左右にカップ部４を配するＹ字状のフロント部３と、カップ部４の下部に続きカップ部４下部を囲うアンダーバスト部５と、フロント部３上方に延びるストラップ部６とよりなる前身頃２を、上方にに延びるストラップ部１１を有し下部両側に腋布１２を延在させたバック部１３よりなる後身頃１０に、ストラップ部６，１１の端部同志で縫合してなるトップ下着において、前身頃のＹ字状フロント部、アンダーバスト部、後身頃のバック部１３中央部分を伸縮性の少ない組織の編地Ａとし、その他の部分を伸縮性の大なる組織の編地Ｂとした。【選択図】図１
0003127179.tif 000002
【実用新案登録請求の範囲】
【請求項１】
左右にカップ部を配するＹ字状のフロント部と、カップ部の下部に続きカップ部下部を囲うアンダーバスト部と、フロント部上方に延びるストラップ部とよりなる前身頃を、上方にＹ字状に延びるストラップ部を有し下部両側に腋布を延在させたバック部よりなる後身頃に、ストラップ部の端部同志で縫合してなるトップ下着において、前身頃のＹ字状フロント部、アンダーバスト部、後身頃のバック部中央部分を伸縮性の少ない組織の編地とし、その他の部分を伸縮性の大なる組織の編地としたことを特徴とするトップ下着。
【請求項２】
後身頃のバック部中央部分の編地を、背面視Ｉ字形，Ｙ字形，Ｘ字形のいずれかとしたことを特徴とする請求項１記載のトップ下着。
【考案の詳細な説明】
【技術分野】
【０００１】
本考案は、使用することでバスト周囲に位置する大胸筋を鍛えることが可能で効果的な筋力アップを図り、結果バストアップ効果を発揮すると共に、背筋を曲げにくく固定させ正しいフォームを保たせることの出来るトップ下着に関する。
【背景技術】
【０００２】
従来より姿勢を美しく保つ目的で体型を変化させようとすることは種々行なわれているが、肩から胸へかけてのラインを美しく見せるためにバストアップが効果的であることも知られている。そのため如何にすればバストアップが可能であるかその手法が種々検討されている。
【０００３】
その一つに大胸筋の強化がある。大胸筋は胸の前面にある強大な筋で、鎖骨，胸骨，上位の肋骨等から上腕骨の上部に集まっており、大胸筋を鍛えることで胸を大きくしバストアップに通じることになる。
筋力を強化するには所望の筋肉部位を緊締バンド等により緊締し負荷を与え、その状態で一定の疲労を得る程度に筋肉部位を伸縮運動させることによって、筋肉に疲労を生じさせ、疲労した筋肉が疲労回復過程で以前の状態を越えた状態となる超回復により筋肉の増大を図る方法（特許文献１）がある。然し、例えば腕の筋肉，脚の筋肉などを増強させたいとした場合には所定位置に緊締具を取り付けるのは容易であるが、バストアップのため大胸筋に対して作用させようとする際などには、その装着が煩わしかった。
【特許文献１】特許第２６７０４２１号公報
【考案の開示】
【考案が解決しようとする課題】
【０００４】
本考案は、日常的に着用することによって、特にその使用を意識することなく着用した下着の持つ緊締作用により大胸筋位置を圧迫することにより大胸筋を強化し、バストアップ効果を発揮することの出来るトップ下着を得ることを目的とする。
【課題を解決するための手段】
【０００５】
本考案のトップ下着にあっては、左右にカップ部を配するＹ字状のフロント部と、カップ部の下部に続きカップ部下部を囲うアンダーバスト部と、フロント部上方に延びるストラップ部とよりなる前身頃を、上方にＹ字状に延びるストラップ部を有し下部両側に腋布を延在させたバック部よりなる後身頃に、ストラップ部の端部同志で縫合してなるトップ下着において、前身頃のＹ字状フロント部、アンダーバスト部、後身頃のバック部中央部分を伸縮性の少ない組織の編地とし、その他の部分を伸縮性の大なる組織の編地とした。
【考案の効果】
【０００６】
本考案のトップ下着は、前身頃のＹ字状フロント部，アンダーバスト部，後身頃のバック部中央部分をＩ字形，Ｙ度形，Ｘ字形のいずれかをなした伸縮性の少ない組織の編地とし、その他の部分を伸縮性の大なる組織の編地としたために、下着着用時、前身頃のＹ字状フロント部とアンダーバスト部により身体の正面側がバスト部を除いて大略Ｘ字状に伸縮性の少ない編地に押えられ、大胸筋は負荷を与えられることになり、この負荷は、下着着用時は途切れることなく続くことになり、筋肉に疲労を生じさせ、疲労した筋肉が疲労回復時超回復により大胸筋の筋力アップに連なることになる。
【０００７】
また、後身頃にあっては、中央部の幅広の部分は伸縮性の少ない編地のため背筋を曲げようとする身体の動きに対し抵抗し背筋を延ばす方向に寄与し正しいフォームをとるよう導いている。
【考案を実施するための最良の形態】
【０００８】
本考案トップ下着１の最良の形態について次に説明する。図１は正面図、図２は背面図、図３は右側面図、図４のＡは伸びにくい部分の編地組織、同Ｂは伸びる部分の編地組織を示す。本考案トップ下着の実施形態として、ハーフトップ，Ｔシャツ（半袖・長袖），タンクトップなどがある。
【０００９】
本考案トップ下着１は、丸編機によって編地のパターンに従って所定ウエールごとにその編組織を選択して筒状に編成されている。使用糸は、ポリエステル７５ｄ１００Ｆとナイロン２０ｄ／２０ｄ引揃え，ポリウレタン７０ｄのナイロンＦＴＹ糸との引き揃え糸を用いている。
【００１０】
前身頃２は中央のフロント部３の左右両側縁にカップ部４，４を配し、カップ部４の下部に連なってアンダーバスト部５，５を設けている。前記フロント部３は全体として正面視Ｙ字状をなし左右上方に伸びるストラップ部６，６を有している。フロント部３，ストラップ部６，アンダーバスト部５は共に伸びにくい組織の編地Ａ、例えば図４Ａに示す鹿の子タック編組織の如きものとし、カップ部４，４はソフトな伸び易い編組織の編地Ｂ例えば図４Ｂに示す天竺とする。
【００１１】
フロント部３の両側に現われたライン７，７はデザイン上設けられたものであって、当該ウエールの編成に際してその部分のみ組織を変え輪郭線としたものである。即ち、前記引き揃えで給糸していた２本の内の１本の糸のみでライン７の組織を編成し他の１本の糸はその裏面に浮かせている。エリア８，９も同様にそれが存在する部分の編地の伸張性を損ねないように編組織を変化させ、柄として見られるようにしたものである。
【００１２】
後身頃１０は、左右上方にＹ字状に延びるストラップ部１１，１１を有し、下部両側に腋布１２，１２を延在させてなり、後身頃１０の一例を示すと図２の如くである。即ち、経方向中央に延びる幅広のＩ字状をなしたバック部１３を、延びにくい組織の編地Ａ例えば図４Ａに示す鹿の子タック編組織の如きものとし、その他のストラップ部１１，腋布１２はソフトな伸び易い組織の編地Ｂ例えば図４Ｂに示す天竺とする。また、バック部１３を、図３に示す如くストラップ部１１，１１を含むＹ字形とし、或いは図４に示す如くＸ字形とすることも出来る。
そして、前身頃２と後身頃１０との対応するストラップ６と１１同志を縫合する。
１４は裾部緊締帯で、前後身頃２，１０と連続して環状に伸縮性を有する適宜組織で編成され端部が折り返され綴じられている。
【００１３】
本考案トップ下着はウォーキングや筋力トレーニングの際に着用するのが望ましい。本考案トップ下着を着用すると、前身頃２のフロント部３のＹ字状に構成されるストラップ６から胸前面を通りアンダーバスト部５に至る斜の伸びにくい組織による編地Ａが、あたかも大胸筋を押える状態で左右からＸ字状に位置することになり大胸筋に負荷を与えることで筋力アップに通じる。
【００１４】
また、後身頃１０のバック部１３の伸びにくい組織の編地Ａの存在により背筋が引かれ意識上も曲げにくく固定され正しいフォームに導かれ大胸筋を効率的に鍛えられ、その結果バストアップの目的を達する。
【図面の簡単な説明】
【００１５】
【図１】本考案トップ下着の正面図。
【図２】同背面図。
【図３】第２実施例の背面図。
【図４】第３実施例の背面図。
【図５】同右側面図。
【図６】Ａは、２種の糸を引き揃えて編成した、伸びにくい部分の編地組織図、Ｂは、おなじく２種の糸を引き揃えて編成した、伸びる部分の編地組織図。
【符号の説明】
【００１６】
１  トップ下着
２  前身頃
３  フロント部
４  カップ部
５  アンダーバスト部
６，１１  ストラップ部
７  ライン
８，９  エリア
１０  後身頃
１２  腋布
１３  バック部
１４  裾部緊締帯
Ａ  伸びにくい組織の編地
Ｂ  伸び易い組織の編地
【図１】
0003127179.tif 000003
【図２】
0003127179.tif 000004
【図３】
0003127179.tif 000005
【図４】
0003127179.tif 000006
【図５】
0003127179.tif 000007
【図６】
0003127179.tif 000008